(57)【特許請求の範囲】
【請求項１】
火炎を形成する燃焼ブロックと、
その燃焼ブロックに燃料を供給する燃料供給手段と、
前記燃焼ブロックに供給された燃料に点火する点火手段と、
前記燃料供給手段による燃料の供給を遮断する燃料遮断手段と、
前記燃料供給手段ならびに燃料遮断手段に接続されて、前記燃料の供給・遮断を制御する制御手段と、
前記燃焼ブロックに形成された火炎の消火に伴う輻射温度の降下状態を検知する温度センサーとを備え、
その温度センサーで測定された火炎の輻射温度を前記制御手段に入力して、
その制御手段で、現在の輻射温度と所定時間前の輻射温度とを比較して、前記現在の輻射温度の降下状態に応じて、前記燃料供給手段および燃料遮断手段を制御し、前記燃料の供給・遮断を行なう構成になっていることを特徴とする消火訓練装置。
【請求項２】
請求項１記載の消火訓練装置において、
前記１つの燃焼ブロックに対して前記温度センサーが複数分散配置され、
前記制御手段で、各温度センサーで測定された前記火炎の輻射温度の平均輻射温度に基づいて一定時間毎の移動平均輻射温度を算出して、現在算出された移動平均輻射温度と所定時間前の移動平均輻射温度とを比較して、前記現在算出された移動平均輻射温度の降下状態に応じて、前記燃料供給手段および燃料遮断手段を制御する構成になっていることを特徴とする消火訓練装置。
【請求項３】
請求項１または２記載の消火訓練装置において、
前記燃料供給手段が燃料調節弁を有し、前記燃料遮断手段が燃料遮断弁を有し、
前記制御手段で、前記温度センサーからの検知信号に基づいて、前記燃料調節弁の開度を小さくする第１の制御信号と、前記燃料調節弁と燃料遮断弁を閉じる第２の制御信号を出力する構成になっていることを特徴とする消火訓練装置。
【請求項４】
請求項１ないし３のいずれか１項記載の消火訓練装置において、
前記燃焼ブロックが２つ以上集合して所定の大きさの燃焼領域を形成し、各燃焼ブロック毎に個別に燃料の供給と遮断が行なわれるように構成されていることを特徴とする消火訓練装置。
【請求項５】
請求項１ないし４のいずれか１項記載の消火訓練装置において、
前記温度センサーの少なくとも検出端が筒状の遮蔽部材で覆われていることを特徴とする消火訓練装置。
【請求項６】
火炎を形成する燃焼ブロックと、
その燃焼ブロックに燃料を供給する燃料供給手段と、
前記燃焼ブロックに供給された燃料に点火する点火手段と、
前記燃料供給手段による燃料の供給を遮断する燃料遮断手段と、
前記燃料供給手段ならびに燃料遮断手段に接続されて、前記燃料の供給・遮断を制御する制御手段と、
前記燃焼ブロックに形成された火炎の消火に伴う輻射温度の降下状態を検知する温度センサーとを備えた消火訓練装置の前記制御手段による燃料供給・遮断制御方法であって、
前記温度センサーで測定された火炎の輻射温度を前記制御手段に入力して、
その制御手段で、現在の輻射温度と所定時間前の輻射温度とを常に比較して、
前記現在の輻射温度の降下状態に応じて、前記燃料供給手段および燃料遮断手段を制御し、前記燃料の供給・遮断を行なうことを特徴とする消火訓練装置の燃料供給・遮断制御方法。
【請求項７】
請求項６記載の消火訓練装置の燃料供給・遮断制御方法において、
前記１つの燃焼ブロックに対して前記温度センサーが複数分散配置され、
前記制御手段で、各温度センサーで測定された前記火炎の輻射温度の平均輻射温度に基づいて一定時間毎の移動平均輻射温度を算出して、
現在算出された移動平均輻射温度と所定時間前の移動平均輻射温度とを常に比較して、
前記現在算出された移動平均輻射温度の降下状態に応じて、前記燃料供給手段および燃料遮断手段を制御する構成になっていることを特徴とする消火訓練装置の燃料供給・遮断制御方法。
【請求項８】
請求項６または７記載の消火訓練装置の燃料供給・遮断制御方法において、
前記燃料供給手段が燃料調節弁を有し、前記燃料遮断手段が燃料遮断弁を有し、
前記制御手段で、前記温度センサーからの検知信号に基づいて、前記燃料調節弁の開度を小さくし、その後に前記燃料調節弁と燃料遮断弁を閉じる構成になっていることを特徴とする消火訓練装置の燃料供給・遮断制御方法。
【発明の詳細な説明】
【０００１】
【発明の属する技術分野】
本発明は、火炎に対して消防士が消火訓練を行う消火訓練装置及びそれの燃料供給・遮断制御方法に係り、特に液化石油ガス（ＬＰＧ）などの液体燃料を用いて火災に至った場合を想定した消火訓練装置及びそれの燃料供給・遮断制御方法に関する。
【０００２】
【従来の技術】
従来の消火訓練装置は、燃料を燃焼させる燃焼領域を有するピット構造部と、そのピット構造部の燃焼領域に燃料を分配する燃料分配装置と、供給された燃料に点火する点火装置と、燃料の供給や遮断を制御する制御装置と、消火に用いた消火剤を検知する消火剤検知装置などを備えている。そして前記ピット構造部上に例えば模型の航空機や家屋などが配置され、それを燃やして消火の訓練を行なっている。
【０００３】
この消火訓練装置として例えば特公平６−７０７３２号公報、特公平７−６６２３２号公報、特開平５−１３４５９７号公報などに記載された発明が提案されている。
【０００４】
図１０は、前記特公平６−７０７３２号公報に記載されている消火訓練装置に用いる複数消火剤検知器の概略構成図である。この複数消火剤検知器１００は、消火に使用した消火剤を収集する漏斗１０１、粉末センサーユニット１０２、赤外線源１０３と赤外線検知器１０４、網目状の泡／水分離器１０５、磁気歪式水センサー１０６、排水開口部１０７、泡排出シュート１０８、貫通ビーム式泡センサー１０９、上部シールド１１０、下部シールド１１１などから構成されている。この複数消火剤検知器１００は前記ピット構造部の燃焼領域内に設置され、前記制御装置と接続されている。
【０００５】
この複数消火剤検知器１００により、消火に使用される粉末消火剤が前記粉末センサーユニット１０２により、消火に使用される水が前記磁気歪式水センサー１０６により、また消火に使用される泡消火剤が前記貫通ビーム式泡センサー１０９により、それぞれ検知される。そして消火剤が所定量検知されると、その検知信号に基づいて前記制御装置により燃料の供給が遮断されるシステムになっている。
【０００６】
【発明が解決しようとする課題】
ところがこの消火剤検知器１００は、前述のように消火剤を計量してそれが所定量に達すると信号を出力するようになっているため、消火器から噴出した消火剤が消火に関与しないで直接消火剤検知器１００の漏斗１０１から入り、それを計量して消火活動中であるにもかかわらず消火剤検知器１００から制御装置に信号が出力されて、燃料の供給が遮断されるという不都合があり、信頼性に問題がある。また、この消火剤検知器１００は複数のセンサーが集合しており、構造が複雑で大型となり、コスト高で、しかもメンテナンスが煩雑であるなどの欠点を有している。
【０００７】
本発明の目的は、このような従来技術の欠点を解消し、適正な燃料遮断が行なえる、信頼性の高い消火訓練装置及びそれの燃料供給・遮断制御方法を提供することにある。
【０００８】
【課題を解決するための手段】
前記目的を達成するために、本発明の第１の手段は、
火炎を形成する例えばガスパンなどの燃焼ブロックと、
その燃焼ブロックに燃料を供給する燃料供給手段と、
前記燃焼ブロックに供給された燃料に点火する点火手段と、
前記燃料供給手段による燃料の供給を遮断する燃料遮断手段と、
前記燃料供給手段ならびに燃料遮断手段に接続されて、前記燃料の供給・遮断を制御する制御手段と、
前記燃焼ブロックに形成された火炎の消火に伴う輻射温度の降下状態を検知する温度センサーとを備え、
その温度センサーで測定された火炎の輻射温度を前記制御手段に入力して、
その制御手段で、現在の輻射温度と所定時間前の輻射温度とを比較して、前記現在の輻射温度の降下状態に応じて、前記燃料供給手段および燃料遮断手段を制御し、前記燃料の供給・遮断を行なう構成になっていることを特徴とするものである。
【０００９】
本発明の第２の手段は前記第１の手段において、
前記１つの燃焼ブロックに対して前記温度センサーが複数分散配置され、
前記制御手段で、各温度センサーで測定された前記火炎の輻射温度の平均輻射温度に基づいて一定時間毎の移動平均輻射温度を算出して、現在算出された移動平均輻射温度と所定時間前の移動平均輻射温度とを比較して、前記現在算出された移動平均輻射温度の降下状態に応じて、前記燃料供給手段および燃料遮断手段を制御する構成になっていることを特徴とするものである。
【００１０】
本発明の第３の手段は前記第１または第２の手段において、
前記燃料供給手段が燃料調節弁を有し、前記燃料遮断手段が燃料遮断弁を有し、
前記制御手段で、前記温度センサーからの検知信号に基づいて、前記燃料調節弁の開度を小さくする第１の制御信号と、前記燃料調節弁と燃料遮断弁を閉じる第２の制御信号を出力する構成になっていることを特徴とするものである。
【００１１】
本発明の第４の手段は前記第１ないし第３のいずれかの手段において、
前記燃焼ブロックが２つ以上集合して所定の大きさの燃焼領域を形成し、各燃焼ブロック毎に個別に燃料の供給と遮断が行なわれるように構成されていることを特徴とするものである。
【００１２】
本発明の第５の手段は前記第１ないし第４のいずれかの手段において、
前記温度センサーの少なくとも検出端が筒状の遮蔽部材で覆われていることを特徴とするものである。
【００１３】
本発明の第６の手段は、
火炎を形成する例えばガスパンなどの燃焼ブロックと、
その燃焼ブロックに燃料を供給する燃料供給手段と、
前記燃焼ブロックに供給された燃料に点火する点火手段と、
前記燃料供給手段による燃料の供給を遮断する燃料遮断手段と、
前記燃料供給手段ならびに燃料遮断手段に接続されて、前記燃料の供給・遮断を制御する制御手段と、
前記燃焼ブロックに形成された火炎の消火に伴う輻射温度の降下状態を検知する温度センサーとを備えた消火訓練装置の前記制御手段による燃料供給・遮断制御方法であって、
前記温度センサーで測定された火炎の輻射温度を前記制御手段に入力して、
その制御手段で、現在の輻射温度と所定時間前の輻射温度とを常に比較して、
前記現在の輻射温度の降下状態に応じて、前記燃料供給手段および燃料遮断手段を制御し、前記燃料の供給・遮断を行なうことを特徴とするものである。
本発明の第７の手段は前記６の手段において、
前記１つの燃焼ブロックに対して前記温度センサーが複数分散配置され、
前記制御手段で、各温度センサーで測定された輻射温度の平均輻射温度に基づいて一定時間毎の移動平均輻射温度を算出して、
現在算出された移動平均輻射温度と所定時間前の移動平均輻射温度とを常に比較して、
前記現在算出された移動平均輻射温度の降下状態に応じて、前記燃料供給手段および燃料遮断手段を制御する構成になっていることを特徴とするものである。
本発明の第８の手段は前記６または第７の手段において、
前記燃料供給手段が燃料調節弁を有し、前記燃料遮断手段が燃料遮断弁を有し、
前記制御手段で、前記温度センサーからの検知信号に基づいて、前記燃料調節弁の開度を小さくし、その後に前記燃料調節弁と燃料遮断弁を閉じることを特徴とするものである。
【００１４】
【発明の実施の形態】
以下、本発明の実施形態を図とともに説明する。図１は実施形態に係る消火訓練装置の全体の概略平面図、図２は１つのガスパン集合体の概略平面図、図３は消火訓練装置の系統図、図４と図５は消火訓練全体のフローチャート、図６は消火時のフローチャート、図７は火炎温度の分布図、図８はメインバーナ調節弁の開度の切替えを示す図、図９は移動平均温度を説明するための図である。
【００１５】
この消火訓練装置１は広い燃焼グラウンド２上に模型の航空機などの燃焼物体３が設置され、この例は航空機から地面に漏洩して広がった液体燃料（ＬＰＧ）に火が着き、それにより火災を生じたという想定での消火訓練が行なわれる。
【００１６】
前記燃焼グラウンド２はガスパン集合体４を多数敷設して構成され、前述のように航空機などが設置できる程度の広い面積を有し、各ガスパン集合体４の周囲は排水ピット５で囲まれ、消火や周囲の設備の加熱防止（冷却）に使用された水は排水ピット５を通して回収される。図２に示すようにガスパン集合体４は複数のガスパン６（６ａ，６ｂ，６ｃ……）から構成され、内部的には各ガスパン６（６ａ，６ｂ，６ｃ……）は仕切られている。
【００１７】
ガスパン６は図示していないが、上方に向けて開放したプール状のコンクリート構造体の内側に砂利が敷き詰められ、砂利層に燃料分配管などが埋設され、砂利層の上に間隔をおいてグレーチングを敷設したピット構造になっている。
【００１８】
次に消火訓練装置１の燃料や信号などの供給系統について図３とともに説明する。各ガスパン６には、火炎が万遍なく発生するように燃料分配管７がガスパン６（砂利層）内に張り巡らされている。液化石油ガス（ＬＰＧ）は、ＬＰＧタンク８から液送ポンプ９ならびに燃料分配器１７を通して、各ガスパン６に供給される。液送ポンプ９の出口側にＬＰＧ緊急遮断弁１０が設けられ、各燃料分配管７の根元側にはメインバーナ遮断弁１１とメインバーナ調節弁１２が設置されている。
【００１９】
各ガスパン６には種火を発生させる点火装置１３が設置され、その近傍に点火バーナ遮断弁１４が設けられている。点火用のガス燃料は、ガスタンク１５から点火バーナ遮断弁１４を通して供給され、ガスタンク１５の出口側にガス緊急遮断弁１６が設けられている。
【００２０】
各弁１０，１１，１２，１４，１６を駆動するための空気を送るコンプレッサー１８が設けられ、コンプレッサー１８には電磁弁１９が接続されている。
【００２１】
各ガスパン６には、形成された火炎の輻射温度を計測するための例えば熱電対などからなる複数の温度センサー２０（２０ａ，２０ｂ，２０ｃ，２０ｄ……）が設けられ、各温度センサー２０ａ，２０ｂ，２０ｃ，２０ｄは、具体的にはグレーチングの開口部内に設置される。
【００２２】
図３に示すように各種遮断弁１０，１１，１４，１６、調節弁１２、点火装置１３、電磁弁１９、温度センサー２０は制御装置２１に接続され、制御装置２１は中央監視操作パネル２２に接続されている。説明上、制御装置２１と中央監視操作パネル２２は別体となっているが、制御装置２１は中央監視操作パネル２２に内蔵されている。消火訓練装置の系統はこのような構成になっている。
【００２３】
次に消火訓練の全体的な流れを図４と図５に基づいて説明する。ステップ（以下、Ｓと略記する）１で中央監視操作パネル２２から訓練開始指令信号が出力され、それによりＳ２で冷却用電動弁が開く。
【００２４】
次にＳ３で燃焼用切替弁が開かれ、Ｓ４でパージ用切替弁が閉ざされ燃焼系統のパージが解除された後、Ｓ５で点火バーナ遮断弁１４が開き、Ｓ６で点火用のガス燃料が供給されて点火装置１３により点火がなされ、Ｓ７で冷却水を供給するポンプの運転が開始され、燃焼グラウンド２の周囲に設置されている機器に対して冷却水が供給され、火炎の輻射熱による機器の熱損傷の防止策が施され、訓練開始状態となる（Ｓ８）。
【００２５】
次いでＳ９でメインバーナ遮断弁１１が開き、Ｓ１０でメインバーナ調節弁１２が開き、供給されたＬＰＧに点火されて、ガスパン６のグレーチング上で火炎が形成される。消火技術のレベルなどに応じて各種の燃焼パータンが予めプログラムされて、制御装置２１の記憶部（ＲＯＭ）に格納されており、その燃焼時の火炎の高さや勢いなどがメインバーナ調節弁１２の開度調節により数段階に自動制御される。中央監視操作パネル２２の操作により、燃焼パータンを選択することができる。
【００２６】
なお、前記Ｓ２〜７，Ｓ９，１０でＮＯと判断された場合は、直ちにＳ１１で消火訓練停止のサブルーチンに移る。
【００２７】
次にＳ１２で指定されたガスパン６（燃焼ブロック）での消火活動がなされ、消火末期の検知は後述する温度センサー２０の検出信号に基づいてなされるが、消火活動が開始されてから燃焼が所定時間（本実施形態では５分間）継続すると（Ｓ１３）、Ｓ１４でメインバーナ調節弁１２が閉ざされ、Ｓ１５でメインバーナ遮断弁１１が閉ざされてＬＰＧの供給が停止される。
【００２８】
その後、Ｓ１６で点火バーナ遮断弁１４が閉ざされて種火が消され、Ｓ１７でパージ切替弁が開いて燃焼系統内のパージがなされ、Ｓ１８で燃焼用切替弁が閉ざされて、Ｓ１９で冷却水ポンプが停止され、Ｓ２０で冷却用電動弁が閉ざされて消火訓練を終了する（Ｓ２１）。
【００２９】
なお、重大な故障や大きな地震などの緊急時、制御装置からの緊急指令信号によりＬＰＧ緊急遮断弁１０とガス遮断弁１６が自動的に閉じる。
【００３０】
図６は消火時のフローチャートで、同図に示すように１つのガスパン６には複数の温度センサー２０ａ〜２０ｄが分散配置されており、Ｓ２０において各温度センサー２０ａ〜２０ｄで火炎の複数個所の輻射温度が測定され、Ｓ２１で平均温度が検出される。本実施形態の場合、図３に示すように複数の温度センサー２０ａ〜２０ｄの出力線が１本となって制御装置２１に接続されているから、平均温度は算出しなくても制御装置２１には自動的に平均化された温度が入力される。複数の温度センサー２０ａ〜２０ｄが制御装置２１にパラレルに接続されている場合は、制御装置２１で平均温度の算出がなされる。
【００３１】
次にＳ２２で、前記平均温度に基づいてある一定時間の移動平均温度が算出される。図９は移動平均温度を説明するための図で、本実施形態の場合、１秒間毎に１０回平均温度を検出し、すなわち１秒目の平均温度ｔ1 ，２秒目の平均温度ｔ2 ，３秒目の平均温度ｔ3 ，……１０秒目の平均温度ｔ10を検出し、それらの平均値Ｔ１を算出する。次に前記１秒目に検出した平均温度ｔ1 を消去し、その代わりに１１秒目の平均温度ｔ11を検出し、２秒目の平均温度ｔ2 ，３秒目の平均温度ｔ3 ，４秒目の平均温度ｔ4 ，……１１秒目の平均温度ｔ11からそれらの平均値Ｔ２を算出する。このようにして求めた平均温度Ｔ１，Ｔ２，Ｔ３……が移動平均温度である。
【００３２】
図７において曲線Ｘが温度センサー２０から検出された実際の温度曲線であり、同図に示すように時間に伴う温度の上下変動が激しく、この検出値を用いての消火の判定は不向きである。そこで本発明では時間的な遅れは若干あるが、温度センサー２０から検出された平均温度に基づいて移動平均温度を求た。この移動平均温度は曲線Ｙに示すように、温度の上下変動が均されて、消火の判定に好適である。
【００３３】
算出された移動平均温度（例えば移動平均温度Ｔ３）を１秒前の移動平均温度（例えば移動平均温度Ｔ２）と比較し、高い方の移動平均温度を最大移動平均温度（Ｔｍａｘ）として制御装置のＲＡＭに記憶する（Ｓ２３）。供給された燃料（ＬＰＧ）が燃焼して火力が強くなると、最大移動平均温度（Ｔｍａｘ）は更新される。
【００３４】
次にＳ２４で最大移動平均温度（Ｔｍａｘ）とその都度の移動平均温度（Ｔ）との比率（Ｔ／Ｔｍａｘ）が演算され、Ｓ２５でその比率（Ｔ／Ｔｍａｘ）が予め設定されたしきい値と比較される。しきい値は、０を超えて１までの範囲内（例えば０．２〜０．８の範囲）から適宜選択される（例えばしきい値＝０．６）。比率（Ｔ／Ｔｍａｘ）が１を超えるということは、現在、火力が強くなっていることを示し、また比率（Ｔ／Ｔｍａｘ）が例えば０．９程度でしきい値よりも大きければ（Ｓ２５でＮＯと判断された場合）、消火により火力は若干弱くはなっているが、消火活動は続行されていることを示しており、Ｓ２２の前段に戻る。
【００３５】
図７で点Ｚを通過すると消火活動は末期にさしかかって、前記比率（Ｔ／Ｔｍａｘ）がしきい値以下になり（Ｓ２５でＹＥＳと判断され）、今度はＳ２６で現在算出された移動平均温度Ｔ（ｎ）が１秒前の移動平均温度Ｔ（ｎ−１）と比較され、現在の移動平均温度Ｔ（ｎ）が１秒前の移動平均温度Ｔ（ｎ−１）よりも低くなるまで待つ。このＳ２６を設けた理由は、消火が末期にきているにもかかわらず、隣のガスパンの火を被って瞬間的に温度上昇する場合があるから、常に所定時間（本実施形態では１秒）前の移動平均温度と比較して、温度が確実に降下したことを確認するためである。
【００３６】
現在の移動平均温度Ｔ（ｎ）が１秒前の移動平均温度Ｔ（ｎ−１）よりも低くなると、Ｓ２７でメインバーナ調節弁１２の開度を小さく絞り（例えば開度３０％程度に絞り）、さらにＳ２８で現在の移動平均温度Ｔ（ｎ）が所定時間（本実施形態の場合５秒）前の移動平均温度Ｔ（ｎ−５）よりも低くなるまで待ち、Ｔ（ｎ−５）＞Ｔ（ｎ）になるとＳ２９でメインバーナ調節弁１２を閉じ、メインバーナ遮断弁１１を閉じて消火訓練を終了する。
これらの点火開始から消火終了までの一連の処理は、ガスパン６毎に行なわれる。
【００３７】
温度センサーに水などの消火剤、冷却水あるいは雨などがかかって、温度低下による誤検出を防ぐため、温度センサーの少なくとも検出端は火炎の輻射熱が検出可能なように筒状体などの遮蔽部材で覆っておくとよい。
【００３８】
本実施形態では図８に示すように燃焼開始から消火終了までの間にメインバーナ調節弁の開度を３回切り替えたが、燃焼パターンによりこれ以上切り替えることもある。
【００３９】
本実施形態では消火剤として水を用いたが、泡消火剤や粉末消火剤など他の消火剤を使用する場合も適用可能である。
【００４０】
本実施形態では温度センサーとして熱電対を使用したが、赤外線カメラを温度センサーとして用いることも可能である。この場合は火炎の大きさ、形状、高さなども合わせて検知することもできる。
【００４１】
本実施形態では燃焼物体として航空機を使用したが、車両、家屋、ビルなど他の物体での消火訓練も可能である。
【００４２】
【発明の効果】
請求項１記載の本発明（第１の手段）ならびに請求項６記載の本発明（第６の手段）は前述のように、火炎の消火に伴う輻射温度の降下状態を温度センサーで検知し、その検知信号に基づいて制御手段から燃料供給手段ならびに燃料遮断手段へ制御信号を出力するように構成されている。
【００４３】
このように火炎の輻射温度の降下状態を監視して消火を判断しているから、従来提案されたような構造が複雑かつ大型で、コスト高で、メンテナンスが煩雑な消火剤検知器を用いる必要がなく、適正な燃料遮断が行なえる信頼性の高い消火訓練装置が提供できる。
【００４４】
請求項２記載の本発明（第２の手段）ならびに請求項７記載の本発明（第７の手段）は、火炎の平均輻射温度に基づいて移動平均輻射温度を算出し、その移動平均輻射温度の降下状態を確認して消火終了を判定することにより、誤判定の少ない消火訓練ができる。
【００４５】
請求項３記載の本発明（第３の手段）ならびに請求項８記載の本発明（第８の手段）は前述のような構成になっているから、消火を段階的に終わらせることができ、実際の消火活動と近似した訓練ができる。
【００４６】
請求項４記載の本発明（第４の手段）は前述のような構成になっているから、目標の燃焼ブロック毎の消火訓練ができて便利であるなどの特長を有している。
【図面の簡単な説明】
【図１】本発明の実施形態に係る消火訓練装置の全体の概略平面図である。
【図２】１つのガスパン集合体の概略平面図である。
【図３】消火訓練装置の系統図である。
【図４】消火訓練全体のフローチャートである。
【図５】消火訓練全体のフローチャートである。
【図６】消火時のフローチャートである。
【図７】火炎温度の分布図である。
【図８】メインバーナ調節弁の開度の切替えを示す図である。
【図９】移動平均温度を説明するための図である。
【図１０】従来提案された消火訓練装置に用いられる複数消火剤検知器の概略構成図である。
【符号の説明】
１  消火訓練装置
２  燃焼グラウンド
３  燃焼物体
４  ガスパン集合体
５  排出ピット
６  ガスパン
７  燃料分配配管
８  ＬＰＧタンク
９  液送ポンプ
１０  ＬＰＧ緊急遮断弁
１１  メインバーナ遮断弁
１２  メインバーナ調節弁
１３  点火装置
１４  点火バーナ遮断弁
１５  ガスタンク
１６  ガス緊急遮断弁
１７  燃料分配器
１８  コンプレッサー
１９  電磁弁
２０  温度センサー
２１  制御装置
２２  中央監視操作パネル
【図１】
0004542715.tif 000002
【図２】
0004542715.tif 000003
【図３】
0004542715.tif 000004
【図４】
0004542715.tif 000005
【図５】
0004542715.tif 000006
【図６】
0004542715.tif 000007
【図７】
0004542715.tif 000008
【図８】
0004542715.tif 000009
【図９】
0004542715.tif 000010
【図１０】
0004542715.tif 000011